(57)【要約】【課題】トラフィックの救済のため他の通信網を利用することの可能な伝送システムとそのノード装置および通信パスのレストレーション方法を提供する。【解決手段】リングネットワークを形成する複数のノードに、トリビュタリトラフィックをアド／ドロップするＡＤＭ部１に加え、トリビュタリトラフィックを装置内部でループバックするためのクロスコネクト部２を備える。また各ノードに、トリビュタリラインＴＬを介して外部ネットワークを接続する。そして、リングネットワークが備えるトラフィック救済機能によってもサービストラフィックを救済できない形態の障害が発生した場合には、監視制御装置２０を主体として実施されるシーケンスによりオリジナルルートを外部ネットワーク側に迂回させ、この迂回ルートを介してサービストラフィックを伝送する。【選択図】　　図６
2004040718.tif 000002
【特許請求の範囲】
【請求項１】
複数のノード装置と、これらのノード装置を接続して多重信号を伝送する高速側ラインと、監視制御装置とを備え、前記複数のノード装置を介して情報通信システムに接続される伝送システムであって、
前記複数のノード装置のそれぞれは、
少なくとも一つが前記情報通信システムに接続される複数のトリビュタリラインと、
これらのトリビュタリラインと前記高速側ラインとに接続され、前記トリビュタリラインを介して導入されるトリビュタリトラフィックを前記多重信号に多重して前記高速回線に送出するとともに、前記高速側ラインを介して導入される多重信号から前記トリビュタリトラフィックを分離していずれかの前記トリビュタリラインに送出する多重／分離手段と、
前記複数のトリビュタリラインに接続され、外部から与えられるループバック指示に応じて、いずれかのトリビュタリラインから導入されるトリビュタリトラフィックを前記情報通信システムに接続されるトリビュタリラインにループバックするループバック手段とを備え、
前記監視制御装置は、
前記ループバック手段によりループバックされるトリビュタリトラフィックを伝送する前記伝送システム側の通信パスを前記情報通信システム側にレストレーションさせるべく、前記ノード装置に前記ループバック指示を与える外部レストレーション制御手段を備えることを特徴とする伝送システム。
【請求項２】
前記高速側ラインがサービスラインとプロテクションラインとを備え、前記サービスラインを介して伝送されるサービストラフィックを前記プロテクションラインを利用して障害から救済するトラフィック救済手段を備える場合に、
前記外部レストレーション制御手段は、前記ノード装置に前記トリビュタリトラフィックをループバックさせるための処理シーケンスを前記障害の発生形態に応じて自動的に実施することを特徴とする請求項１に記載の伝送システム。
【請求項３】
前記処理シーケンスは、前記トラフィック救済手段に定義される処理コマンドを利用して構築されることを特徴とする請求項２に記載の伝送システム。
【請求項４】
前記ノード装置において前記ループバック処理が実施された後に、前記ループバック手段によりループバックされたトリビュタリトラフィックを伝送していた前記伝送システム側の通信パスを削除するか、否かを選択指定するための指定手段を備えることを特徴とする請求項１に記載の伝送システム。
【請求項５】
前記高速側ラインが前記複数のノード装置をリング状に接続してリングネットワークを形成する場合に、
前記監視制御装置は、前記リングネットワークを複数に分断する形態の障害が生じた場合に、その旨を検知して、複数のパーシャルネットワークを形成するための外部コマンドを前記ノード装置のそれぞれに自動的に投入するパーシャルネットワーク形成手段を備えることを特徴とする請求項１に記載の伝送システム。
【請求項６】
複数のノード装置と、これらのノード装置を接続して多重信号を伝送する高速側ラインと、監視制御装置とを備え、前記複数のノード装置を介して情報通信システムに接続される伝送システムに用いられる前記ノード装置であって、
少なくとも一つが前記情報通信システムに接続される複数のトリビュタリラインと、
これらのトリビュタリラインと前記高速側ラインとに接続され、前記トリビュタリラインを介して導入されるトリビュタリトラフィックを前記多重信号に多重して前記高速回線に送出するとともに、前記高速側ラインを介して導入される多重信号から前記トリビュタリトラフィックを分離していずれかの前記トリビュタリラインに送出する多重／分離手段と、
前記複数のトリビュタリラインに接続され、外部から与えられるループバック指示に応じて、いずれかのトリビュタリラインから導入されるトリビュタリトラフィックを前記情報通信システムに接続されるトリビュタリラインにループバックするループバック手段とを具備することを特徴とするノード装置。
【請求項７】
複数のノード装置と、これらのノード装置を接続するサービスラインおよびプロテクションラインと、前記サービスラインを介して伝送されるサービストラフィックを前記プロテクションラインを利用して障害から救済するトラフィック救済手段とを備え、情報通信システムに接続される伝送システムにおいて利用される通信パスのレストレーション方法であって、
前記伝送システムに発生した障害の形態を判定する第１ステップと、
この第１ステップにおける判定の結果、前記トラフィック救済手段により前記障害から救済することの不可能な通信パスが存在する場合に、前記トラフィック救済手段の機能を停止する第２ステップと、
この第２ステップにより前記トラフィック救済手段の機能が停止された状態で、前記情報通信システム側に前記通信パスをレストレーションさせる第３ステップと、
この第３ステップの完了ののち、前記第２ステップで停止されたトラフィック救済手段の機能を再開させる第４ステップとを具備することを特徴とする通信パスのレストレーション方法。
【発明の詳細な説明】
【０００１】
【発明の属する技術分野】
本発明は、例えばＳＤＨ（Ｓｙｎｃｈｒｏｎｏｕｓ　Ｄｉｇｉｔａｌ　Ｈｉｅｒａｒｃｈｙ）／ＳＯＮＥＴ（Ｓｙｎｃｈｒｏｎｏｕｓ　Ｏｐｔｉｃａｌ　Ｎｅｔｗｏｒｋ）などの規格に準拠する伝送システムとそのノード装置および通信パスのレストレーション方法に関する。
【０００２】
【従来の技術】
幹線網に適用されるディジタル信号伝送システムでは、ノード装置内のインタフェース機器や伝送路などに、サービス系およびプロテクション系を備えた二重化構成が採用される。二重化構成によれば、サービス系に障害が発生した場合に、サービストラフィックの通信パスをサービスラインからプロテクションラインに迂回させることができ、故障や断線から伝送情報を救済することができる。
【０００３】
例えばＳＤＨに準拠するシステムでは、リング状のネットワークトポロジを構築し、ＡＰＳ（Ａｕｔｏｍａｔｉｃ　Ｐｒｏｔｅｃｔｉｏｎ　Ｓｗｉｔｃｈｉｎｇ）と称する自律的トラフィック救済機能と組み合わせることで耐障害性を高めるようにしている。
【０００４】
【発明が解決しようとする課題】
しかしながら、如何に障害への対策を講じようとも、不十分な場合が有る。例えば複数の箇所に障害が発生した場合などには、サービストラフィックを迂回させるためのネットワークリソースを用意できず、結果としてサービストラフィックが切断されてしまうことが有り得る。そこで、個別の伝送システムごとに閉じた運用ではなく、他の異なる通信網と連携してネットワークリソースを確保することにより通信の信頼性を向上させたいというニーズが高まってきている。
【０００５】
本発明は上記事情によりなされたもので、その目的は、トラフィックの救済のため他の通信網を利用することの可能な伝送システムとそのノード装置および通信パスのレストレーション方法を提供することにある。
【０００６】
【課題を解決するための手段】
上記目的を達成するために本発明は、複数のノード装置と、これらのノード装置を接続して多重信号を伝送する高速側ラインと、監視制御装置とを備え、前記複数のノード装置を介して情報通信システムに接続される伝送システムであって、前記複数のノード装置のそれぞれは、少なくとも一つが前記情報通信システムに接続される複数のトリビュタリラインと、これらのトリビュタリラインと前記高速側ラインとに接続され、前記トリビュタリラインを介して導入されるトリビュタリトラフィックを前記多重信号に多重して前記高速回線に送出するとともに、前記高速側ラインを介して導入される多重信号から前記トリビュタリトラフィックを分離していずれかの前記トリビュタリラインに送出する多重／分離手段と、前記複数のトリビュタリラインに接続され、外部から与えられるループバック指示に応じて、いずれかのトリビュタリラインから導入されるトリビュタリトラフィックを前記情報通信システムに接続されるトリビュタリラインにループバックするループバック手段とを備え、前記監視制御装置は、前記ループバック手段によりループバックされるトリビュタリトラフィックを伝送する前記伝送システム側の通信パスを前記情報通信システム側にレストレーションさせるべく、前記ノード装置に前記ループバック指示を与える外部レストレーション制御手段を備えることを特徴とする。
【０００７】
このような手段を講じることにより、ノード装置において、トリビュタリトラフィックを装置内部でループバック（Ｉｎｔｅｒｎａｌ　Ｌｏｏｐ　Ｂａｃｋ）することが可能となる。すなわち、高速側ライン−トリビュタリラインの間での回線接続だけでなく、全てのライン間に対して回線接続を行なうことができる、いわゆるフル　ノンブロッキングの構成が実現される。従って、ノード装置に入力されているトリビュタリトラフィックでも容易に他のネットワーク、あるいは他のケーブルシステムに迂回させることが可能となる。
【０００８】
【発明の実施の形態】
以下、図面を参照して本発明の実施の形態を詳細に説明する。
図１は、本発明に係わるノード装置が設置されるディジタル信号伝送システムの構成を示す図である。このシステムは複数のノード装置（Ｎｏｄｅ：以下ノードと称する）Ａ〜Ｆと、これらのノードをリング状に接続するサービスラインＳＬおよびプロテクションラインＰＬを備え、いわゆるリングネットワークとしての形態を有する。プロテクションラインＰＬは、サービスラインＳＬの予備系である。各ノードＡ〜Ｆには、例えば交換機や端局装置などのクライアント装置１０が接続される。
【０００９】
クライアント装置１０と各ノードＡ〜Ｆとの間で授受されるトリビュタリトラフィックは、例えばＳＤＨにおけるＳＴＭ（Ｓｙｎｃｈｒｏｎｏｕｓ　Ｔｒａｎｓｐｏｒｔ　Ｍｏｄｕｌｅ）−１，ＳＴＭ−４，ＳＴＭ−１６、あるいはＳＴＭ−６４レベルである。このトリビュタリトラフィックは各ノードＡ〜Ｆにおいて多重化され、ＳＴＭ−６４などの高次群信号としてサービスラインＳＬおよびプロテクションラインＰＬに送出される。なお、各ノードＡ〜Ｆにおける高次群信号の送出方向には時計回り（Ｃｌｏｃｋｗｉｓｅ：ＣＷ）方向と反時計回り方向（Ｃｏｕｎｔｅｒ　Ｃｌｏｃｋｗｉｓｅ：ＣＣＷ）との２通りがある。ここでは便宜上、ノードＡにおけるＣＷ方向をＥａｓｔ側、ＣＣＷ方向をＷｅｓｔ側と称する。
【００１０】
各ノードＡ〜Ｆには、ネットワーク全体の監視処理、および制御処理を担う監視制御装置（ＮＭＥ：Ｎｅｔｗｏｒｋ　Ｍａｎａｇｅｍｅｎｔ　Ｅｑｕｉｐｍｅｎｔ）２０がＬＡＮ（Ｌｏｃａｌ　ａｒｅａ　Ｎｅｔｗｏｒｋ）などを介して接続される。なおシステム設計のニーズに応じて、監視制御装置２０の数は任意である。例えば、一つの監視制御装置２０によりシステム全体を統括的に監視・制御するようにしても良い。
【００１１】
またこのシステムは、サービストラフィックの伝送に係わる障害がサービスラインＳＬに生じた場合に、プロテクションラインＰＬ側の伝送リソースを利用して、当該障害からサービストラフィックを救済する機能を備える。この機能は、ＳＤＨにおいてはＡＰＳ（Ａｕｔｏｍａｔｉｃ　Ｐｒｏｔｅｃｔｉｏｎ　Ｓｗｉｔｃｈｉｎｇ）と称され、ノードＡ〜Ｆ同士の協調的な自律的分散制御により実現される。
【００１２】
図２は、図１に示されるノードＡの主要部構成を示すブロック図である。なおノードＢ〜Ｆも同様の構成である。ノードＡは、アド・ドロップ　マルチプレクサ（ＡＤＭ：Ａｄｄ　Ｄｒｏｐ　Ｍｕｌｔｉｐｌｅｘ）部１と、クロスコネクト部２とを備える。クロスコネクト部２は、クライアント装置１０に至るチャネル数ｎに応じた数の低速インタフェース部（ＬＳ　Ｉ／Ｆ）７１〜７ｎを介して複数のトリビュタリラインＴＬに接続される。少なくとも一つのトリビュタリラインＴＬは、図示しない外部ネットワークに接続される。
【００１３】
ＡＤＭ部１は、サービス系ラインインタフェース部（ＨＳ　Ｉ／Ｆ（ＳＲＶ））３，５と、プロテクション系ラインインタフェース部（ＨＳ　Ｉ／Ｆ（ＰＲＴ））４，６と、クロスコネクト部２とに接続される。ＨＳ　Ｉ／Ｆ（ＳＲＶ）３は、Ｅａｓｔ側サービスラインＳＬに接続される。ＨＳ　Ｉ／Ｆ（ＰＲＴ）４は、Ｅａｓｔ側プロテクションラインＰＬに接続される。ＨＳ　Ｉ／Ｆ（ＳＲＶ）５は、Ｗｅｓｔ側サービスラインＳＬに接続される。ＨＳ　Ｉ／Ｆ（ＰＲＴ）６は、Ｗｅｓｔ側プロテクションラインＰＬに接続される。
【００１４】
ＡＤＭ部１は、トリビュタリラインＴＬを介してそれぞれ導入されるトリビュタリトラフィックを時分割多重し、得られた多重信号をサービスラインＳＬまたはプロテクションラインＰＬに送出する。またＡＤＭ部１は、サービスラインＳＬまたはプロテクションラインＰＬを介して導入される多重信号から任意のタイムスロットを分離してトリビュタリトラフィックとしていずれかのトリビュタリラインＴＬに送出する。このようにＡＤＭ部１を備えることにより、ノードＡはＡＤＭ装置として動作する。
【００１５】
クロスコネクト部２は、図１のＮＭＥ２０から指示が与えられた場合に、いずれかのトリビュタリラインから導入されるトリビュタリトラフィックを、外部ネットワークに接続されるトリビュタリラインに装置内部でループバックする。
【００１６】
このほかノードＡは、主制御部８と、記憶部９とを備える。ノードＡは、記憶部９に記憶される各種の制御プログラムに基づき、図示しないＣＰＵ（Ｃｅｎｔｒａｌ　Ｐｒｏｃｅｓｓｉｎｇ　Ｕｎｉｔ）などを備える主制御部８の制御のもとで動作する。
【００１７】
ところで、主制御部８は、例えば上記ＣＰＵのソフトウェア処理により実現されるループバック制御部８ａを備える。ループバック制御部８ａは、ＮＭＥ２０から与えられるループバック指示に応じてクロスコネクト部２のスイッチング状態を制御し、いずれかのトリビュタリラインＴＬから導入されるトリビュタリトラフィックを、前記外部ネットワークに接続されるトリビュタリラインＴＬにループバックさせる。
【００１８】
図３は、図１に示されるＮＭＥ２０の構成を示すブロック図である。ＮＭＥ２０は、ヒューマンマシンインタフェースとしての入出力部２１と、表示部２２と、ＬＡＮを介してノードに接続されるインタフェース部（ＬＡＮ　Ｉ／Ｆ）２３と、各種動作プログラムなどを記憶する記憶部２４と、制御部２５とを備える。
【００１９】
制御部２５は、外部レストレーション制御部２５ａと、指定制御部２５ｂと、パーシャルネットワーク形成処理部２５ｃとを備える。外部レストレーション制御部２５ａは、図１の伝送システムにおいて上記ループバックされたトリビュタリトラフィックを伝送するために設定されていた通信パスを外部ネットワーク側にレストレーションさせるためのループバック指示を生成し、このループバック指示を前記ループバック制御部８ａに与える。特に、外部レストレーション制御部２５ａは、ノード装置に前記トリビュタリトラフィックをループバックさせるための処理シーケンスを、障害の発生形態に応じて自動的に実施する。この処理シーケンスは、ＡＰＳに定義される処理コマンドを利用して構築される。
【００２０】
指定制御部２５ｂは、ノード装置においてループバック処理が実施された後に、ループバックされたトリビュタリトラフィックを伝送していた伝送システム側の通信パスを削除するか、否かを選択指定する。
【００２１】
パーシャルネットワーク形成処理部２５ｃは、図１のリングネットワークを複数に分断する形態の障害が生じた場合に、その旨を検知する。そして、複数のパーシャルネットワークを形成するための外部コマンドを、ノードＡ〜Ｆのそれぞれに自動的に投入する。
【００２２】
なお、ループバック制御部８ａ、外部レストレーション制御部２５ａ、指定制御部２５ｂ、パーシャルネットワーク形成処理部２５ｃのいずれも、例えばＣＰＵ（Ｃｅｎｔｒａｌ　Ｐｒｏｃｅｓｓｉｎｇ　Ｕｎｉｔ）のソフトウェア処理を中核として他のハードウェアとの協調動作により実現される機能オブジェクトである。
【００２３】
図４は、図１に示されるシステムにおける通信パスの設定例を示す図である。図４に示されるように、図１のシステムにおいては各ノードＡ〜ＦがＡＤＭ機能を備えることにより、トラフィックを伝送するための通信パスを自由にクリエイトすることができる。図１は、ノードＡとノードＣとの間のサービスラインＳＬに、ノードＢを経由するポイント・ツウ・ポイントの通信パスがクリエイトされている状況を示す。
【００２４】
図５は、図２に示される状態からノードＡとノードＢとの間のセグメントに伝送路障害が発生した場合におけるトラフィックのレストレーション状態を示す図である。図５においては、同セグメントのサービスラインＳＬとプロテクションラインＰＬとの両方が切断された（Ｃａｂｌｅ　Ｃｕｔ）とする。そうすると、リングネットワークシステムが有するプロテクションメカニズムにより、図４に示されるパス、すなわち障害の発生前のルート（以下、オリジナルルートと称する）の通信パスが、同じリングネットワークの逆方向のプロテクションラインＰＬのルートにレストレーションされる。これにより、オリジナルルートのパスを介して伝送されていたサービストラフィックは障害から救済される。
【００２５】
ＳＤＨにおけるトラフィックのプロテクションメカニズムは、ＩＴＵ−Ｔ　Ｒｅｃ．Ｇ．８４１に準拠するＲｉｎｇ　ＡＰＳが代表的である。特にノード間の距離が長い場合には、ＩＴＵ−Ｔ勧告Ｇ．８４１　ＡＮＮＥＸ　Ａに記載されるところのＭＳｓｈａｒｅｄ　ｐｒｏｔｅｃｔｉｏｎ　ｒｉｎｇｓ　（ｔｒａｎｓｏｃｅａｎｉｃ　ａｐｐｌｉｃａｔｉｏｎ）が有効である。
【００２６】
ただし、図５に示される状態からさらにノードＥ〜ノードＦ間にも障害が生じると、同じリングネットワーク内に通信パスをレストレーションすることができず、サービストラフィックを救済することができない。
【００２７】
図６は、　図５に示される状態からさらにノードＥとノードＦとの間のセグメントに伝送路障害が発生した場合の、本実施形態におけるトラフィックのレストレーション状態を示す図である。図６に示されるように本実施形態では、通信パスのアド／ドロップノードであるノードＡ及びノードＣにて、当該通信パスをループバックする。すなわちノードＡ及びノードＣは、クロスコネクト部２のスイッチング状態を変更することにより、自ノードでアッドしていたパスの経路を内部で折り返し（ループバック、またはヘアピン接続と称する）、外部ネットワーク２００または３００に当該パスを送出する。これにより当該パスはオリジナルルートから、外部ネットワーク１００、２００、および、３００を通過する経路にレストレーションされ、サービストラフィックが救済される。
【００２８】
このサービストラフィックの救済のための処理手続きは、ＮＭＥ２０においてシーケンス構築され、全て自動で実行される。図６に示されるように外部ネットワークを利用して通信パスをレストレーションする処理を、以下ではエクスターナルレストレーションと称する。
【００２９】
図７は、図６に示されるトラフィックレストレーション状態を実現するためにＮＭＥ２０において実施される処理手順を示すフローチャートである。ステップＳ１においてエクスターナルレストレーション処理が起動されると、ステップＳ２において、ＮＭＥ２０は各ノードＡ〜Ｆにおいて検出された障害状態を収集する。そして、その結果をもとに、ステップＳ３においてＮＭＥ２０はリングネットワークを２つに分断する形態の障害が生じたことを確認するとともに、ステップＳ４において、Ｒｉｎｇ　ＡＰＳによるレストレーションが実施されていないことを確認する。
【００３０】
次のステップＳ５において、リングネットワークを２つのパーシャルネットワークにするか否かが判定される。ここでＮｏであれば処理手順はステップＳ７に移行する。
【００３１】
ステップＳ７では、各ノードＡ〜Ｆの備えるＲｉｎｇ　ＡＰＳ機能に対してＬｏｃｋｏｕｔ　ｏｆＰｒｏｔｅｃｔｉｏｎ　ＳｐａｎコマンドがＩｎｖｏｋｅ（適用）される。これによりサービストラフィックがプロテクション系区間に迂回することが禁止され、従ってＡＰＳによるトラフィックレストレーション機能が停止される。あるいはこのステップにおいて、Ｒｉｎｇ　ＡＰＳの動作自体を非起動状態に設定するようにしても良い。
【００３２】
このようにＡＰＳの機能を一時的に停止した後、次のステップＳ８において、外部ネットワークとの協調的な処理により外部ネットワークに新たなパスルートが確保される。またはこのステップＳ８において、ＮＭＥ２０の主導によりパスルートを供給（Ｐｒｏｖｉｓｉｏｎｉｎｇ）できる場合には、そのようにしても良い。
【００３３】
次のステップＳ９では、エクスターナルレストレーションに係わるノード、すなわちノードＡおよびノードＣに対してループバック指示が送出される。これを受けたノードＡ，Ｃはクロスコネクト部２を制御し、自装置内でトリビュタリトラフィックのループバック処理を行なう。なお、この処理をパスのスイッチオーバ（Ｓｗｉｔｃｈ　Ｏｖｅｒ）と称することもある。
【００３４】
より具体的には、スイッチオーバに係わる処理に際して次の順序でコマンドが投入される。まず、各ノードＡ，Ｃに対して、自ノードでアッドするトリビュタリトラフィックをブリッジ（Ｂｒ）する旨が指示される。ここでは、トリビュタリトラフィックがオリジナルルートと、外部ネットワークとの双方に送出される。次に、各ノードＡ，Ｃに対して、ドロップすべきトラフィックを外部ネットワークから取得するためのスイッチ（Ｓｗ）制御が指示される。これにより双方向の通信ルートが外部ネットワークを介して形成される。
【００３５】
そうして、ステップＳ１０においてエクスターナルレストレーションが完了し、通信パスが外部ネットワークにレストレーションされると、次のステップＳ１１において、ＡＰＳのロックアウトが解除される。これによりステップＳ７で抑圧されていたＡＰＳの機能が、リングネットワークにおいて復旧する。
【００３６】
次のステップＳ１２では、リングネットワーク側におけるオリジナルルートのパスをデリートするか否かが判断される。このステップでＹｅｓであれば、オリジナルルートのパスがデリートされ、その旨の通知がオリジナルルートに位置するノード（図６ではノードＡ，Ｂ，Ｃ）に通知される。ノードＡ，Ｂ，Ｃはその旨を自装置の有するデータベースに書き込み、対応するタイムスロットを開放する。
【００３７】
次に、ステップＳ５においてＹｅｓであった場合、すなわちネットワークをパーシャル化する場合の処理手順を説明する。この手順は、図７におけるステップＳ６１〜ステップＳ６９に対応する。
【００３８】
まず、ステップＳ６１では、ＮＭＥ２０において、障害区間に隣接するノードが識別される。図６においては、ノードＡ，ＢおよびノードＥ，Ｆが相当する。次に、以下の順序により各ノードにコマンドが送出される。すなわちステップＳ６２において、ノードＡにＬｏｃｋｏｕｔ　ｏｆ　Ｗｏｒｋｉｎｇ　ＲｉｎｇコマンドがＩｎｖｏｋｅされる。次に、ステップ６３において、ノードＢにＬｏｃｋｏｕｔ　ｏｆ　Ｗｏｒｋｉｎｇ　ＲｉｎｇコマンドがＩｎｖｏｋｅされる。次に、ステップ６４において、ノードＥにＬｏｃｋｏｕｔ　ｏｆ　Ｗｏｒｋｉｎｇ　ＲｉｎｇコマンドがＩｎｖｏｋｅされる。次に、ステップ６５において、ノードＦにＬｏｃｋｏｕｔ　ｏｆ　Ｗｏｒｋｉｎｇ　ＲｉｎｇコマンドがＩｎｖｏｋｅされる。このように各ノードにコマンドが投入されることにより、障害区間におけるリング切替が抑圧される。
【００３９】
次に、ステップ６６において、ノードＡにＬｏｃｋｏｕｔ　ｏｆ　Ｗｏｒｋｉｎｇ　ＳｐａｎコマンドがＩｎｖｏｋｅされる。次に、ステップ６７において、ノードＢにＬｏｃｋｏｕｔ　ｏｆ　ＷｏｒｋｉｎｇＳｐａｎコマンドがＩｎｖｏｋｅされる。次に、ステップ６８において、ノードＥにＬｏｃｋｏｕｔ　ｏｆ　Ｗｏｒｋｉｎｇ　ＳｐａｎコマンドがＩｎｖｏｋｅされる。最後に、ステップ６９において、ノードＦにＬｏｃｋｏｕｔ　ｏｆ　Ｗｏｒｋｉｎｇ　ＳｐａｎコマンドがＩｎｖｏｋｅされる。このように各ノードにコマンドが投入されることにより、障害区間におけるスパン切替が抑圧される。以上のように、障害区間においてリング切替およびスパン切替の両方が停止されることにより、ネットワークがパーシャル化され、２つのリニアネットワーク（Ｌｉｎｅａｒ　Ｎｅｔｗｏｒｋ）が形成される。
【００４０】
図８は、図６に示される状態から障害が回復した場合に実施される処理手順を示すフローチャートである。ステップＳ２１において、エクスターナルレストレーションの要因となった障害の回復が確認されると、ステップＳ２２において、オリジナルルートのパスがデリートされたか否かが確認される。すなわち図１７のステップＳ１２において、ＹｅｓまたはＮｏであったか否かが確認される。ステップＳ２２においてＮｏであれば、処理手順はステップＳ２４に移行する。
【００４１】
ステップＳ２２においてＹｅｓであれば、オリジナルルートに位置するノードＡ，Ｂ，Ｃにおいて未使用のタイムスロットに新たなパスが再設定される。
次のステップＳ２４では、ノードＡ，Ｃに対してループバックの解除制御の旨が指示される。すなわち、外部ネットワークに迂回されていたパスルートがリングネットワーク側に切り戻される。より具体的には、パスの切り戻し処理に際して次の順序でコマンドが投入される。まず、各ノードＡ，Ｃに対して、自ノードでドロップすべきトラフィックをリングネットワークから取得するためのドロップスイッチ（ＤｒｏｐＳｗ）制御が指示される。次に、パスを外部ネットワークに迂回させるための制御を解除するためのドロップブリッジ（ＤｒｏｐＢｒ）制御が各ノードＡ，Ｃに指示される。これにより、双方向の通信ルートがリングネットワーク側に再設定される。
【００４２】
そうして、次のステップＳ２５において、外部ネットワーク側に設定されていたパスルートがデリートされる。このようにして、外部ネットワークにループバックされた通信パスがリングネットワークに切り戻される。
なお、図７および図８のフローチャートにおいて示される手順は、すべて自動的に実施される。
【００４３】
図９は、エクスターナルレストレーションの実施時に空きとなるオリジナルルートのリソースが活用された状態を示す図である。図９に示されるように、エクスターナルレストレーションの実施中において、ノードＢとノードＣとの間のオリジナルルートにおけるパスをデリートすることにより、この帯域が空きとなる。よってこの帯域を利用して、ノードＢから例えばノードＤに至る通信パスをクリエイトすることが可能となる。もちろん、オペレータの意志に応じて、オリジナルルートのパスをデリートするか、残したままにしておくかは任意である。パスを残存させておいた場合、障害復旧後の切り戻し処理の手順を簡略化できる。この選択は、指定制御部２５ｂによる制御に基づき、表示部２２のＧＵＩ（Ｇｒａｐｈｉｃａｌ　Ｕｓｅｒ　Ｉｎｔｅｒｆａｃｅ）を用いた選択指定処理などによりシステムに反映される。
【００４４】
以上のように本実施形態によれば、リングネットワークを形成する複数のノードに、トリビュタリトラフィックをアド／ドロップするＡＤＭ部１に加え、トリビュタリトラフィックを装置内部でループバックするためのクロスコネクト部２を備える。また各ノードに、トリビュタリラインＴＬを介して外部ネットワークを接続する。そして、リングネットワークが備えるトラフィック救済機能によってもサービストラフィックを救済できない形態の障害が発生した場合には、監視制御装置２０を主体として実施されるシーケンスによりオリジナルルートを外部ネットワーク側に迂回させ、この迂回ルートを介してサービストラフィックを伝送するようにしている。
このようにしたので、他の通信網を利用してトラフィックを救済することが可能となり、システムの障害に対する耐性をさらに高めることが可能になる。
【００４５】
また本実施形態では、リングネットワークのＡＰＳ機能の動作の抑制や、通信パス設定制御などの手順を含む、エクスターナルレストレーションの実施に必要となるシーケンスをＮＭＥ２０とノードＡ〜Ｆとの間で確立し、全て自動的に実施するようにしている。これにより簡易に、かつ、障害の発生からレストレーションの完了までにかかる時間を最小限にすることができ、その結果トラフィックインパクトを最小限に抑えることが可能となる。
【００４６】
なお、本発明は上記実施の形態に限定されるものではない。
図１０は、本実施形態におけるエクスターナルレストレーションの他の形態を示す図である。図１０に示されるシステムは、同じシステムに多重される２つのリングネットワークを備える。一方のリングネットワークはノードＡ１，Ｂ１，Ｃ１，Ｄ１，Ｅ１，Ｆ１を備え、他方のリングネットワークはノードＡ２，Ｂ２，Ｃ２，Ｄ２，Ｅ２，Ｆ２を備える。ノードＡ１とＡ２、ノードＢ１とＢ２、ノードＣ１とＣ２、ノードＤ１とＤ２、ノードＥ１とＥ２、および、ノードＦ１とＦ２は、それぞれ局舎ＡＡ、ＢＢ、ＣＣ、ＤＤ、ＥＥ、および、局舎ＦＦに備えられる。各ノードは、同じ局舎内において互いに他のノードに対してトリビュタリラインＴＬを介して接続される。すなわち一方のリングネットワークが、他方のリングネットワークに対する外部ネットワークとなる。
【００４７】
図１０において、無障害時には、ノードＡ１からノードＣ１に達するパスが、ノードＢ１を介して設定されているとする。この状態からノードＡ１とＢ１、および、ノードＥ１とＦ１の間の区間に障害が生じた場合、当該パスは、ノードＡ１からノードＡ２、Ｂ２、および、ノードＣ２を経由してノードＣ１に至るルートにレストレーションされる。
【００４８】
図１０の２つのリングネットワークが同じシステムに多重化されているため、この例は、同じケーブルシステム内においてエクスターナルレストレーションが実施される場合を示す。このようなシステムにおいても本発明の思想を適用することができる。
【００４９】
また図２においてはＡＤＭ部１とクロスコネクト部２とを別々に示したが、大規模なマトリクススイッチなどを用いて両者の機能を一つのデバイスで実現するようにしてもよい。このようにすると、よりコストダウンを図れる。
【００５０】
また本実施形態では、複数のトリビュタリトラフィックが時分割多重されるシステムを示したが、本発明は、今後の発展が予想される光スイッチ装置をベースとする光伝送装置（Ｏｐｔｉｃａｌ　ＡＤＭ：ＯＡＤＭ）により構築される伝送システムにも適用することが可能である。この種のシステムでは互いに異なる複数の波長のそれぞれがトリビュタリトラフィックに対応し、各トリビュタリトラフィックは波長多重される。
このほか、本発明の要旨を逸脱しない範囲で種々の変形実施を行うことができる。
【００５１】
【発明の効果】
以上詳述したように本発明によれば、トラフィックの救済のため他の通信網を利用することの可能な伝送システムとそのノード装置および通信パスのレストレーション方法を提供することができる。
【図面の簡単な説明】
【図１】本発明に係わるノード装置が設置されるディジタル信号伝送システムの構成を示す図。
【図２】図１に示されるノードＡの主要部構成を示すブロック図。
【図３】図１に示されるＮＭＥ２０の構成を示すブロック図。
【図４】図１に示されるシステムにおける通信パスの設定例を示す図。
【図５】図２に示される状態からノードＡとノードＢとの間のセグメントに伝送路障害が発生した場合におけるトラフィックのレストレーション状態を示す図。
【図６】図５に示される状態からさらにノードＥとノードＦとの間のセグメントに伝送路障害が発生した場合の、本実施形態におけるトラフィックのレストレーション状態を示す図。
【図７】図６に示されるトラフィックレストレーション状態を実現するためにＮＭＥ２０において実施される処理手順を示すフローチャート。
【図８】図６に示される状態から障害が回復した場合に実施される処理手順を示すフローチャート。
【図９】エクスターナルレストレーションの実施時に空きとなるオリジナルルートのリソースが活用された状態を示す図。
【図１０】本発明の実施の形態におけるエクスターナルレストレーションの他の形態を示す図。
【符号の説明】
Ａ〜Ｆ…ノード
ＳＬ…サービスライン
ＰＬ…プロテクションライン
ＴＬ…トリビュタリライン
Ａ１〜Ｆ１，Ａ２〜Ｆ２…ノード
ＡＡ〜ＦＦ…局舎
１…アド・ドロップ　マルチプレクサ（ＡＤＭ）部
２…クロスコネクト部
３，５…サービス系ラインインタフェース部
４，６…プロテクション系ラインインタフェース部
８…主制御部
８ａ…ループバック制御部
９…記憶部
１０…クライアント装置
２０…監視制御装置（ＮＭＥ）
２１…入出力部
２２…表示部
２３…インタフェース部
２４…記憶部
２５…制御部
２５ａ…外部レストレーション制御部
２５ｂ…指定制御部
２５ｃ…パーシャルネットワーク形成処理部
７１〜７ｎ…低速インタフェース部
１００，２００…外部ネットワーク
【図１】
2004040718.tif 000003
【図２】
2004040718.tif 000004
【図３】
2004040718.tif 000005
【図４】
2004040718.tif 000006
【図５】
2004040718.tif 000007
【図６】
2004040718.tif 000008
【図７】
2004040718.tif 000009
【図８】
2004040718.tif 000010
【図９】
2004040718.tif 000011
【図１０】
2004040718.tif 000012